(57)【要約】      （修正有）【課題】赤外線センサーを備えたインテリジェントセンサー噴霧器を提供する。【解決手段】インテリジェントセンサー噴霧器は、本体ケース１と、本体ケース１の下端に着脱可能に取り付けられたボトムケース２と、を含む。本体ケース１内に瓶容器３、中央ストッパ板４および制御基板５が設けられ、中央ストッパ板４にネジ溝６および電槽７が設けられ、瓶容器３の瓶口ネジ部がネジ溝６にねじ込まれ、電槽７内に電池８が取り付けられ、瓶容器３内に吸水ホース９が設けられ、ネジ溝６に固定パイプ１０が取り付けられ、固定パイプ１０の上端に霧化片１１が設けられ、吸水ホース９の頂端が固定パイプ１０内に入れられると共に霧化片１１に突当たり、本体ケース１内にホルダー１２が更に設けられ、固定パイプ１０がホルダー１２内に入れられ、本体ケース１の霧化片１１に対向する側に噴霧口１３が穿孔され、制御基板５上に赤外線センサーライト２２が集積され、本体ケース１は赤外線センサーライト２２の真上に２個の貫通孔１００が設けられる。【選択図】図１
0003228517.tif 000002
【実用新案登録請求の範囲】
【請求項１】
インテリジェントセンサー噴霧器であって、本体ケースと、前記本体ケースの下端に着
脱可能に取り付けられたボトムケースと、を含み、前記本体ケース内に瓶容器、中央スト
ッパ板および制御基板が設けられ、前記中央ストッパ板にネジ溝および電槽が設けられ、
前記瓶容器の瓶口ネジ部が前記ネジ溝にねじ込まれ、前記電槽内に電池が取り付けられ、
前記瓶容器内に吸水ホースが設けられ、前記ネジ溝に固定パイプが取り付けられ、前記固
定パイプの上端に霧化片が設けられ、前記吸水ホースの頂端が前記固定パイプ内に入れら
れると共に前記霧化片に突当たり、前記本体ケース内にホルダーが更に設けられ、前記固
定パイプが前記ホルダー内に入れられ、前記本体ケースの前記霧化片に対向する側に噴霧
口が穿孔され、前記電池、前記霧化片が前記制御基板に電気的に接続され、前記制御基板
上に赤外線センサーライトが集積され、前記本体ケースは前記赤外線センサーライトの真
上に２個の貫通孔が設けられることを特徴とする、インテリジェントセンサー噴霧器。
【請求項２】
前記吸水ホースの下端に下端が封止された管体を嵌装し、前記管体の上端が前記固定パ
イプとドッキングされ、前記管体の側面に流入口が設けられ、前記管体の内底面と前記吸
水ホースの底部との間にバネが設けられることを特徴とする、請求項１に記載のインテリ
ジェントセンサー噴霧器。
【請求項３】
前記管体は、前記瓶容器の瓶口にある部位にキャップが設けられ、前記キャップを通じ
て前記瓶容器の瓶口を密封することを特徴とする、請求項２に記載のインテリジェントセ
ンサー噴霧器。
【請求項４】
前記管体と前記固定パイプとの接続部に第１防水ゴムリングが設けられ、前記ホルダー
内に第２防水ゴムリングが設けられ、前記霧化片は前記第２防水ゴムリングの内輪に入れ
られることを特徴とする、請求項３に記載のインテリジェントセンサー噴霧器。
【請求項５】
前記電池は、充電式電池であり、前記本体ケース上にＵＳＢインターフェースが設けら
れ、前記ＵＳＢインターフェースが前記制御基板に電気的に接続されることを特徴とする
、請求項１に記載のインテリジェントセンサー噴霧器。
【請求項６】
前記本体ケースの外部に電源スイッチボタンが更に設けられ、前記電源スイッチボタン
は前記制御基板に接続されることを特徴とする、請求項５に記載のインテリジェントセン
サー噴霧器。
【請求項７】
前記制御基板には、主制御チップおよび駆動回路が集積され、前記電源スイッチボタン
および前記ＵＳＢインターフェースは前記主制御チップに電気的に接続され、前記主制御
チップのＰＷＭ出力ピンが前記駆動回路に接続され、前記駆動回路がＭＯＳチューブと、
インダクションコイルと、を含み、前記ＭＯＳチューブのゲートが第６抵抗器を通じて接
地されると共に第２抵抗器を通じて前記主制御チップに接続され、前記ＭＯＳチューブの
ドレインが前記インダクションコイルに接続され、前記インダクションコイルが第６コン
デンサを通じて前記霧化片に接続されることを特徴とする、請求項６に記載のインテリジ
ェントセンサー噴霧器。
【請求項８】
前記赤外線センサーライトは、赤外線送信回路と、赤外線受信回路と、を含み、前記主
制御チップのＷＬ出力ピンが前記赤外線送信回路に接続され、前記赤外線送信回路が第１
抵抗器と、第７抵抗器と、第１０抵抗器と、赤外線発光ダイオードと、トランジスタと、
を含み、前記第１抵抗器の一端が各々前記ＷＬ出力ピンおよび前記第１０抵抗器の一端に
接続され、前記第１抵抗器の他端が前記トランジスタのベースに接続され、前記第１０抵
抗器の他端が接地され、前記トランジスタのコレクタが前記第７抵抗器の一端に接続され
、前記トランジスタのエミッタが接地され、前記第７抵抗器の他端が前記赤外線発光ダイ
オードの負極に接続され、前記ダイオードの正極が前記主制御チップの第９ピンに接続さ
れることを特徴とする、請求項７に記載のインテリジェントセンサー噴霧器。
【請求項９】
前記主制御チップのＩＲ−ＩＮ入力ピンは、前記赤外線受信回路に接続され、前記赤外
線受信回路が赤外線反射センサーと、第１７抵抗器と、第１９抵抗器と、第７コンデンサ
と、第８コンデンサと、を含み、前記主制御チップのＩＲ−ＩＮ入力ピンが各々前記赤外
線反射センサーの第１ピンおよび前記第１９抵抗器の一端に接続され、前記赤外線反射セ
ンサーの第２ピンが接地され、前記赤外線反射センサーの第３ピンが各々前記第７コンデ
ンサ、前記第８コンデンサを通じて接地すると共に前記第１７抵抗器を通じて前記主制御
チップの第９ピンに接続されることを特徴とする、請求項８に記載のインテリジェントセ
ンサー噴霧器。
【請求項１０】
前記ボトムケースの外側に掴み部が設けられることを特徴とする、請求項１に記載のイ
ンテリジェントセンサー噴霧器。
【考案の詳細な説明】
【技術分野】
【０００１】
本考案は、日用品の技術分野に関し、特に、インテリジェントセンサー噴霧器に関する
。
【背景技術】
【０００２】
感染症の細菌やウイルスの蔓延を防止・軽減するため、公共の場所で定期的に消毒する
必要があり、特に感染症が流行している時、国境要塞、交通結節点、病院、食肉処理場、
屠畜場、学校、村、農場の出入り口などのさまざまな公共の場所で、継続的に消毒する必
要がある。現在、ほとんど手作業で噴霧器により消毒するため、作業負荷が大きく、時間
や手間がかかるだけでなく、恣意性が強いため、資源が無駄になり、かつ暑い夏には蚊に
刺されるため、蚊駆除機で蚊を駆除または殺蚊している。現在、生活の中で常用の抗蚊製
品は、蚊取り線香、蚊よけマット、マット式電気蚊取り、液体敷電気蚊取りなどがある。
蚊取り線香および蚊よけマットは、蚊を駆除するため、裸火で燃やして煙を放出する必要
があり、これは危険で環境にもやさしくなく；マット式電気蚊取りと液体式電気蚊取りは
、常に通電状態を保持することで、使用することができ、電源に接続する際も感電のリス
クがあり、すなわち、省エネでもなく、持ち運びにも不便であった。
【考案の概要】
【考案が解決しようとする課題】
【０００３】
そこで、本考案は上記従来技術に存在する欠点に着目し、インテリジェントセンサー噴
霧器を提供することを目的とする。
【課題を解決するための手段】
【０００４】
本考案では、上記目的を達成するために、次の技術的手段を講じた。
インテリジェントセンサー噴霧器であって、本体ケースと、本体ケースの下端に着脱可
能に取り付けられたボトムケースと、を含み、前記本体ケース内に瓶容器、中央ストッパ
板および制御基板が設けられ、前記中央ストッパ板にネジ溝および電槽が設けられ、前記
瓶容器の瓶口ネジ部がネジ溝にねじ込まれ、前記電槽内に電池が取り付けられ、前記瓶容
器内に吸水ホースが設けられ、前記ネジ溝に固定パイプが取り付けられ、前記固定パイプ
の上端に霧化片が設けられ、前記吸水ホースの頂端が固定パイプ内に入れられると共に霧
化片に突当たり、前記本体ケース内にホルダーが更に設けられ、前記固定パイプがホルダ
ー内に入れられ、前記本体ケースの霧化片に対向する側に噴霧口が穿孔され、前記電池、
霧化片が制御基板に電気的に接続され、前記制御基板上に赤外線センサーライトが集積さ
れ、前記本体ケースは前記赤外線センサーライトの真上に２個の貫通孔が設けられる。
【０００５】
好ましくは、前記吸水ホースの下端に下端が封止された管体を嵌装し、前記管体の上端
が固定パイプとドッキングされ、前記管体の側面に流入口が設けられ、前記管体の内底面
と吸水ホースの底部との間にバネが設けられる。
【０００６】
好ましくは、前記管体は、瓶容器の瓶口にある部位にキャップが設けられ、キャップを
通じて瓶容器の瓶口を密封する。
【０００７】
好ましくは、前記管体と固定パイプとの接続部に第１防水ゴムリングが設けられ、前記
ホルダー内に第２防水ゴムリングが設けられ、前記霧化片は第２防水ゴムリングの内輪に
入れられる。
【０００８】
好ましくは、前記電池は、充電式電池であり、前記本体ケース上にＵＳＢインターフェ
ースが設けられ、前記ＵＳＢインターフェースが制御基板に電気的に接続される。
【０００９】
好ましくは、前記本体ケースの外部に電源スイッチボタンが更に設けられ、前記電源ス
イッチボタンは制御基板に接続される。
【００１０】
好ましくは、前記制御基板には、主制御チップおよび駆動回路が集積され、前記電源ス
イッチボタンおよびＵＳＢインターフェースは主制御チップに電気的に接続され、前記主
制御チップのＰＷＭ出力ピンが駆動回路に接続され、前記駆動回路がＭＯＳチューブと、
インダクションコイルと、を含み、前記ＭＯＳチューブのゲートが第６抵抗器を通じて接
地されると共に第２抵抗器を通じて主制御チップに接続され、前記ＭＯＳチューブのドレ
インがインダクションコイルに接続され、前記インダクションコイルが第６コンデンサを
通じて霧化片に接続される。
【００１１】
好ましくは、前記赤外線センサーライトは、赤外線送信回路と、赤外線受信回路と、を
含み、前記主制御チップのＷＬ出力ピンが前記赤外線送信回路に接続され、前記赤外線送
信回路が第１抵抗器と、第７抵抗器と、第１０抵抗器と、赤外線発光ダイオードと、トラ
ンジスタと、を含み、前記第１抵抗器の一端が各々前記ＷＬ出力ピンおよび前記第１０抵
抗器の一端に接続され、前記第１抵抗器の他端が前記トランジスタのベースに接続され、
前記第１０抵抗器の他端が接地され、前記トランジスタのコレクタが前記第７抵抗器の一
端に接続され、前記トランジスタのエミッタが接地され、前記第７抵抗器の他端が前記赤
外線発光ダイオードの負極に接続され、前記ダイオードの正極が前記主制御チップの第９
ピンに接続される。
【００１２】
好ましくは、前記主制御チップのＩＲ−ＩＮ入力ピンは、前記赤外線受信回路に接続さ
れ、前記赤外線受信回路が赤外線反射センサーと、第１７抵抗器と、第１９抵抗器と、第
７コンデンサと、第８コンデンサと、を含み、前記主制御チップのＩＲ−ＩＮ入力ピンが
各々前記赤外線反射センサーの第１ピンおよび前記第１９抵抗器の一端に接続され、前記
赤外線反射センサーの第２ピンが接地され、前記赤外線反射センサーの第３ピンが各々前
記第７コンデンサ、第８コンデンサを通じて接地すると共に前記第１７抵抗器を通じて前
記主制御チップの第９ピンに接続される。
【００１３】
好ましくは、前記ボトムケースの外側に掴み部が設けられる。
【考案の効果】
【００１４】
上記技術的手段を講じることで、本考案には、下記の利点を有する。
１、吸水ホースを通じて瓶容器内の液体を吸い上げ、霧化片を通じて液体を霧化させて
から排出され、更に霧化拡散方式によって消毒の目的を達成し；
２、内蔵電池は電源として使用され、外部電源への接続を維持しなくても正常に動作で
きるため、さまざまな場面で使用でき、有線接続の制約および制限がなくなり、プラグの
抜き差しを繰り返すことにより、もたらす安全性への懸念を回避でき；
３、赤外線センサーライトを通じて、外部物体の信号を検出して主制御チップにフィー
ドバックし、主制御チップは霧化片に指令を出し、霧化片が噴霧を始めるため、噴霧器全
体をよりインテリジェント化にさせ；
４、ボトムケースを取り外すことができ、瓶容器はネジ部を通じてネジ溝にねじ込まれ
るため、瓶容器を取り外し、瓶容器内の液体を選択的に追加または交換することで、加湿
、アロマテラピー、蚊よけ等の複数の機能を切り替えることができる。
【図面の簡単な説明】
【００１５】
【図１】本考案の実施例の構造原理を示す図である。
【図２】本考案の実施例の内部構造を示す図である。
【図３】本考案の実施例の断面図である。
【図４】本考案の実施例の立体構造を示す図である。
【図５】本考案の実施例に係る主制御チップの回路構造を示す図である。
【図６】本考案の実施例に係る赤外線送信回路の回路構造を示す図である。
【図７】本考案の実施例に係る赤外線受信回路の回路構造を示す図である。
【図８】本考案の実施例に係る駆動回路の回路構造を示す図である。
【考案を実施するための形態】
【００１６】
以下、添付図面を参照しつつ本考案の実施例を詳細に説明するが、本考案は実用新案登
録請求範囲で限定および網羅する多くの異なる形態により実施できる。
【００１７】
図１乃至図８に示すように、本実施例によって提案されるインテリジェントセンサー噴
霧器は、本体ケース１と、本体ケース１の下端に着脱可能に取り付けられたボトムケース
２と、を含み、本体ケース１内に瓶容器３、中央ストッパ板４および制御基板５が設けら
れ、中央ストッパ板４にネジ溝６および電槽７が設けられ、瓶容器３の瓶口ネジ部がネジ
溝６にねじ込まれ、電槽７内に電池８が取り付けられ、瓶容器３内に吸水ホース９が設け
られ、ネジ溝６に固定パイプ１０が取り付けられ、固定パイプ１０の上端に霧化片１１が
設けられ、吸水ホース９の頂端が固定パイプ１０内に入れられると共に霧化片１１に突当
たり、本体ケース１内にホルダー１２が更に設けられ、固定パイプ１０がホルダー１２内
に入れられ、本体ケース１の霧化片１１に対向する側に噴霧口１３が穿孔され、電池８、
霧化片１１が制御基板５に電気的に接続され、制御基板５上に赤外線センサーライト２２
が集積され、本体ケース１は赤外線センサーライト２２の真上に２個の貫通孔１００が設
けられる。
【００１８】
本考案の好ましい実施例において、具体的には動作の時、吸水ホース９によって瓶容器
３内の液体を吸い上げ、霧化片１１を通じて吸水ホース９によって吸い上げられた液体を
霧化させ、霧化した後の液体が噴霧口１３から排出され、固定パイプ１０で霧化片１１を
載置すると共に吸水ホース９とドッキングし、ホルダー１２を通じて固定パイプ１０をロ
ックすることで、全体的な構造安定性を実現し；内部電源は電池８から供給することで、
外部電源への接続を維持しなくても正常に動作できるため、さまざまな場面で使用でき、
有線接続の制約および制限がなくなり、アウトドア旅行の使用時より一層手軽、便利で、
プラグの抜き差しを繰り返すことにより、もたらす安全性への懸念を回避できる。さらに
、本実施例は、好みや用途に応じて調整することもでき、ボトムケース２を取り外してか
ら瓶容器３を取り外すだけで、瓶容器内の液体を選択的に追加または交換できる。例えば
、水を添加した場合、加湿の効果を奏し、殺蚊剤を添加した場合、蚊よけ・殺蚊の効果を
奏し、アロマテラピー液を添加した場合、空気浄化や殺菌の効果等を奏し、したがって異
なる効果を奏し、多分野多機能として使用できる。
【００１９】
本考案の好ましい実施例において、吸水ホース９を保護し、吸水ホース９が常に霧化片
１１に突当たるため、本実施例の吸水ホース９の下端に下端が封止された管体１４を嵌装
し、管体１４の上端が固定パイプ１０とドッキングされ、管体１４の側面に流入口１５が
設けられ、管体１４の内底面と吸水ホース９の底部との間にバネ１６が設けられる。管体
１４で吸水ホース９を外嵌することで、吸水ホース９の安定性および吸水ホース９と外部
との接触を遮断し、バネ１６により吸水ホース９に突当たり、吸水ホース９を常に霧化片
１１に突当たり、霧化片１１の正常な動作を確保する。
【００２０】
本考案の好ましい実施例において、瓶容器３の瓶口との密封を図るため、管体１４は、
瓶容器３の瓶口にある部位にキャップ１７が設けられ、キャップ１７を通じて瓶容器３の
瓶口を密封する。
【００２１】
本考案の好ましい実施例において、霧化片１１での液漏れ防止効果を高めるため、管体
１４と固定パイプ１０との接続部に第１防水ゴムリング１８が設けられ、ホルダー１２内
に第２防水ゴムリング１９が設けられ、霧化片１１は第２防水ゴムリング１９の内輪に入
れられる。
【００２２】
本考案の好ましい実施例において、電池８は、充電式電池であり、本体ケース１上にＵ
ＳＢインターフェース２０が設けられ、ＵＳＢインターフェース２０が制御基板５に電気
的に接続されることで、電池８の繰り返し利用を実現することができ、省エネと環境保全
が可能で、電池８の交換作業が不要である。
【００２３】
本考案の好ましい実施例において、本体ケース１の外部に電源スイッチボタン２１が更
に設けられ、電源スイッチボタン２１は制御基板５に接続され、電源スイッチボタン２１
によって動作のオン／オフを制御する。
【００２４】
本実施例の制御基板５には、主制御チップＵ１および駆動回路が集積され、主制御チッ
プの型番はＡＰＫ３１５８を用いてもよいが、同じ機能を有する他の型番を用いてもよい
。電源スイッチボタン２１およびＵＳＢインターフェース２０は、主制御チップＵ１に電
気的に接続され、主制御チップＵ１のＰＷＭ出力ピンが駆動回路に接続され、駆動回路が
ＭＯＳチューブＱ１と、インダクションコイルＬ１と、を含み、ＭＯＳチューブＱ１のゲ
ートが第６抵抗器Ｒ６を通じて接地されると共に第２抵抗器Ｒ２を通じて主制御チップＵ
１に接続され、ＭＯＳチューブＱ１のドレインがインダクションコイルＬ１に接続され、
インダクションコイルＬ１が第６コンデンサＣ６を通じて霧化片１１に接続され、主制御
チップＵ１を通じて電源スイッチボタン２１の導通信号を受信し、対応するＰＷＭパルス
信号を出力し、ＰＷＭパルス信号は駆動回路を効果的に制御することで、霧化片１１の動
作を制御する。
【００２５】
本考案の好ましい実施例において、赤外線センサーライト２２は、赤外線送信回路と、
赤外線受信回路と、を含み、主制御チップＵ１のＷＬ出力ピンが赤外線送信回路に接続さ
れ、赤外線送信回路が第１抵抗器Ｒ１と、第７抵抗器Ｒ７と、第１０抵抗器Ｒ１０と、赤
外線発光ダイオードＤ３と、トランジスタＱ６と、を含み、第１抵抗器Ｒ１の一端が各々
ＷＬ出力ピンおよび第１０抵抗器Ｒ１０の一端に接続され、第１抵抗器Ｒ１の他端がトラ
ンジスタＱ６のベースに接続され、第１０抵抗器Ｒ１０の他端が接地され、トランジスタ
Ｑ６のコレクタが第７抵抗器Ｒ７の一端に接続され、トランジスタＱ６のエミッタが接地
され、第７抵抗器Ｒ７の他端が赤外線発光ダイオードＤ３の負極に接続され、ダイオード
の正極が主制御チップＵ１の第９ピンに接続される。
【００２６】
本考案の好ましい実施例において、主制御チップＵ１のＩＲ−ＩＮ入力ピンは、赤外線
受信回路に接続され、赤外線反射センサーＣＮ４と、第１７抵抗器Ｒ１７と、第１９抵抗
器Ｒ１９と、第７コンデンサＣ７と、第８コンデンサＣ８と、を含み、主制御チップＵ１
のＩＲ−ＩＮ入力ピンが各々赤外線反射センサーＣＮ４の第１ピンおよび第１９抵抗器Ｒ
１９の一端に接続され、赤外線反射センサーＣＮ４の第２ピンが接地され、赤外線反射セ
ンサーＣＮ４の第３ピンが各々第７コンデンサＣ７、第８コンデンサＣ８を通じて接地す
ると共に第１７抵抗器Ｒ１７を通じて主制御チップＵ１の第９ピンに接続される。
【００２７】
本考案の好ましい実施例において、ボトムケース２の外側に掴み部２３が設けられ、掴
み部２３により使用者はボトムケース２を掴みやすいため、ボトムケース２を簡単に取り
外すことができる。
【００２８】
なお、本考案では好ましい実施例を前述の通り開示したが、本考案の実用新案範囲はこ
の実施例に限定されるものではなく、本考案の明細書および添付図面の内容を脱しない均
等の範囲内での構造またはプロセスの変更、あるいは直接的または間接的にその他の関連
技術分野に運用される場合は、均しく本考案の実用新案の保護範囲内に含まれている。
【図１】
0003228517.tif 000003
【図２】
0003228517.tif 000004
【図３】
0003228517.tif 000005
【図４】
0003228517.tif 000006
【図５】
0003228517.tif 000007
【図６】
0003228517.tif 000008
【図７】
0003228517.tif 000009
【図８】
0003228517.tif 000010